【手続補正書】
【提出日】平成29年7月21日(2017.7.21)
【手続補正１】
【補正対象書類名】明細書
【補正対象項目名】００３１
【補正方法】変更
【補正の内容】
【００３１】
本明細書において、本発明の或る特定の特徴だけが図示および説明されてきたが、当業者には多くの変更および変形が思い浮かぶであろう。それゆえ、添付の特許請求の範囲は、本発明の真の趣旨に入る全てのこのような変更および変形を包含することを意図していることを理解されたい。
なお、本発明は以下の特徴を以って実施することができる。
［特徴１］
データパケットを処理する方法であって、
ネットワーク装置において前記データパケットを受け取ることと、
前記ネットワーク装置により、前記データパケットのメッセージデータから該データパケットの第１のネットワーク層データを分離することであって、該データパケットの該メッセージデータは、
４バイト未満で表されるソースアドレスと、
４バイト未満で表される宛先アドレスと、
フォーマット識別子とを含み、
前記メッセージデータの前記宛先アドレスが前記ネットワーク装置のアドレスと一致するか否か、または前記メッセージデータがブロードキャストメッセージを示すか否かを判断することと、
前記メッセージデータの前記宛先アドレスが前記ネットワーク装置の前記アドレスと一致する場合、または前記メッセージデータが前記ブロードキャストメッセージを示す場合、前記ネットワーク装置により、前記フォーマット識別子を処理することと、
前記ネットワーク装置により、前記メッセージデータを、該ネットワーク装置、１または複数の他のネットワーク装置またはそれらの何らかの組合せに提供することとを含む方法。
［特徴２］
前記データパケットを受け取ることは、イーサネットインターフェース、シリアルインターフェースまたはユニバーサルシリアルバス(USB)インターフェースを介して該データパケットを受け取ることを含む特徴１に記載の方法。
［特徴３］
前記ソースアドレスは１バイトのみを含む特徴１に記載の方法。
［特徴４］
前記宛先アドレスは１バイトのみを含む特徴１に記載の方法。
［特徴５］
前記メッセージデータは、メッセージヘッダーおよびメッセージ本文を含み、前記メッセージヘッダーは、前記ソースアドレス、前記宛先アドレスおよび前記フォーマット識別子を含む特徴１に記載の方法。
［特徴６］
前記メッセージ本文は、ペイロードデータ、１または複数のトークンまたはそれらの組合せを含む特徴５に記載の方法。
［特徴７］
前記メッセージヘッダーは４バイトから構成される特徴５に記載の方法。
［特徴８］
前記第１のネットワーク層データは、前記ネットワーク装置に対応するメディアアクセス制御(MAC)アドレスを含む特徴１に記載の方法。
［特徴９］
前記メッセージデータを前記ネットワーク装置、１または複数の他のネットワーク装置またはそれらの何らかの組合せに提供することは、前記メッセージデータを第２のネットワーク層データとパッケージ化することを含む特徴１に記載の方法。
［特徴１０］
前記第２のネットワーク層データは、前記ネットワーク装置に対応する第１のMACアドレスと、１つまたは複数の他のネットワーク装置に対応する第２のMACアドレスとを含む特徴９に記載の方法。
［特徴１１］
メッセージデータを形成するように構成された処理デバイスであって、該メッセージデータは、
４バイト未満で表されるソースアドレスと、
４バイト未満で表される宛先アドレスと、
フォーマット識別子と、
を含む処理デバイスと、
前記処理デバイスから前記メッセージデータを受け取り、該メッセージデータをネットワーク層データと結合してデータパケットを形成し、１つまたは複数のネットワークメディアを用いて、該データパケットを前記ネットワーク装置から１つまたは複数の他のネットワーク装置に提供するように構成されたネットワークインターフェースデバイスとを具備するネットワーク装置。
［特徴１２］
前記メッセージデータは、メッセージヘッダーおよびメッセージ本文を含み、該メッセージヘッダーは４バイトから構成されている特徴１１に記載のネットワーク装置。
［特徴１３］
前記メッセージヘッダーは、前記ソースアドレス、前記宛先アドレスおよび前記フォーマット識別子を含む特徴１２に記載のネットワーク装置。
［特徴１４］
前記ネットワークインターフェースデバイスは、イーサネットインターフェース、シリアルインターフェースおよびUSBインターフェースのうちの１つまたは複数を含む特徴１１に記載のネットワーク装置。
［特徴１５］
前記ネットワークインターフェースデバイスは、イーサネットインターフェース、シリアルインターフェースおよびUSBインターフェースのうちの２つ以上を含む特徴１１に記載のネットワーク装置。
［特徴１６］
第１のデータパケットを受け取り、該第１のデータパケットのメッセージデータから該第１のデータパケットの第１のネットワーク層データを分離するように構成された第１のネットワーク装置であって、該第１のデータパケットの該メッセージデータは、４バイト未満で表されるソースアドレスと、４バイト未満で表される宛先アドレスと、フォーマット識別子とを含み、該第１のネットワーク装置は、前記メッセージデータの前記宛先アドレスが該ネットワーク装置のアドレスと一致するか否か、または前記メッセージデータがブロードキャストメッセージを示すか否かを判断し、前記メッセージデータの前記宛先アドレスが該第１のネットワーク装置の前記アドレスと一致する場合、または前記メッセージデータが前記ブロードキャストメッセージを示す場合、前記フォーマット識別子を処理し、前記メッセージデータを第２のネットワーク層データとともに第２のデータパケットにパッケージ化するように構成される、第１のネットワーク装置と、
前記メッセージデータの前記宛先アドレスが前記第１のネットワーク装置の前記アドレスと一致しない場合、または前記メッセージデータが前記ブロードキャストメッセージを示す場合、前記第２のデータパケットを受け取るように構成された第２のネットワーク装置とを具備する溶接システム。
［特徴１７］
前記第１のデータパケットを前記第１のネットワーク装置に提供する第１のネットワークメディアと、前記第２のデータパケットを前記第１のネットワーク装置から前記第２のネットワーク装置に提供する第２のネットワークメディアとを備える特徴１６に記載の溶接システム。
［特徴１８］
前記第１のネットワークメディアおよび前記第２のネットワークメディアはイーサネットインターフェースを含む特徴１７に記載の溶接システム。
［特徴１９］
前記第１のネットワークメディアおよび前記第２のネットワークメディアは異なるネットワークメディアを含む特徴１７に記載の溶接システム。
［特徴２０］
前記ソースアドレスは、前記第１のネットワーク装置でも前記第２のネットワーク装置でもない第３のネットワーク装置に対応し、前記宛先アドレスは、前記第１のネットワーク装置でも前記第２のネットワーク装置でもそれらの何らかの組合せでもない第４のネットワーク装置に対応する特徴１６に記載の溶接システム。
【手続補正２】
【補正対象書類名】特許請求の範囲
【補正対象項目名】全文
【補正方法】変更
【補正の内容】
【特許請求の範囲】
【請求項１】
データパケットを処理する方法であって、
ネットワーク装置において前記データパケットを受け取ることと、
前記ネットワーク装置により、前記データパケットのメッセージデータから該データパケットの第１のネットワーク層データを分離することであって、該データパケットの該メッセージデータは、
４バイト未満で表されるソースアドレスと、
４バイト未満で表される宛先アドレスと、
フォーマット識別子とを含み、
前記メッセージデータの前記宛先アドレスが前記ネットワーク装置のアドレスと一致するか否か、または前記メッセージデータがブロードキャストメッセージを示すか否かを判断することと、
前記メッセージデータの前記宛先アドレスが前記ネットワーク装置の前記アドレスと一致する場合、または前記メッセージデータが前記ブロードキャストメッセージを示す場合、前記ネットワーク装置により、前記フォーマット識別子を処理することと、
前記ネットワーク装置により、前記メッセージデータを、該ネットワーク装置、１または複数の他のネットワーク装置またはそれらの何らかの組合せに提供することとを含む方法。
【請求項２】
ネットワーク装置が、メッセージデータを形成するように構成された処理デバイスと、ネットワークインターフェースデバイスとを具備し、
該メッセージデータは、４バイト未満で表されるソースアドレスと、４バイト未満で表される宛先アドレスと、フォーマット識別子とを含み、
ネットワークインターフェースデバイスが、前記処理デバイスから前記メッセージデータを受け取り、該メッセージデータをネットワーク層データと結合してデータパケットを形成し、１または複数のネットワークメディアを用いて、該データパケットを前記ネットワーク装置から１または複数の他のネットワーク装置に提供するように構成されたネットワーク装置。
【請求項３】
溶接システムが第１と第２のネットワーク装置を具備し、
第１のネットワーク装置は、
第１のデータパケットを受け取り、該第１のデータパケットのメッセージデータから該第１のデータパケットの第１のネットワーク層データを分離し、
第１のデータパケットのメッセージデータは、４バイト未満で表されるソースアドレスと、４バイト未満で表される宛先アドレスと、フォーマット識別子とを含み、
該第１のネットワーク装置は、前記メッセージデータの前記宛先アドレスが該ネットワーク装置のアドレスと一致するか否か、或いは、前記メッセージデータがブロードキャストメッセージを示すか否かを判断し、
前記メッセージデータの前記宛先アドレスが該第１のネットワーク装置の前記アドレスと一致する、或いは、前記メッセージデータが前記ブロードキャストメッセージを示す場合、前記フォーマット識別子を処理し、前記メッセージデータを第２のネットワーク層データとともに第２のデータパケットにパッケージ化するように構成され、
前記第２のネットワーク装置は、
前記メッセージデータの前記宛先アドレスが前記第１のネットワーク装置の前記アドレスと一致しない、或いは、前記メッセージデータが前記ブロードキャストメッセージを示す場合、前記第２のデータパケットを受け取るように構成されている溶接システム。